(57)【要約】      （修正有）【課題】バックアップを中断した場合に、バックアップ途中から再開するバックアップ装置を提供する。【解決手段】バックアップ装置１０１は、第１の記録媒体１０２中の映像データを含むバックアップデータを、第１の記録媒体アクセス部を介して取得し、第２の記録媒体アクセス部を介して第２の記録媒体１０３へ記録するとともに、第２の記録媒体１０３へのバックアップデータのバックアップ中に、所定のタイミング毎に、第１の記録媒体１０２上で記録が完了したバックアップデータの位置を示す情報を第２の記録媒体１０３の所定領域に記録し、第２の記録媒体１０３へのバックアップデータのバックアップが完了した際に、第２の記録媒体１０３中のバックアップデータに関するファイル管理情報を、所定領域に記録する管理部と、を備える。【選択図】図１
2011141639.tif 000002
【特許請求の範囲】
【請求項１】
映像データを記録した第１の記録媒体へのアクセスを制御する第１の記録媒体アクセス部と、
前記第１の記録媒体に記録された前記映像データを含むバックアップデータをバックアップする第２の記録媒体へのアクセスを制御する第２の記録媒体アクセス部と、
前記第１の記録媒体中の前記バックアップデータを、前記第１の記録媒体アクセス部を介して取得し、前記第２の記録媒体アクセス部を介して前記第２の記録媒体へ記録するとともに、前記第２の記録媒体への前記バックアップデータのバックアップ中に、所定のタイミング毎に、前記第１の記録媒体上で記録が完了したバックアップデータの位置を示す情報を前記第２の記録媒体の所定領域に記録し、前記第２の記録媒体へのバックアップデータのバックアップが完了した際に、前記第２の記録媒体中の前記バックアップデータに関するファイル管理情報を、前記所定領域に記録する管理部と、
を備えるバックアップ装置。
【請求項２】
前記管理部は、
前記第１の記録媒体中の前記バックアップデータを、ファイルシステムを用いずに、順次読み出し、読み出した前記バックアップデータを前記第２の記録媒体に記録する
請求項１に記載のバックアップ装置。
【請求項３】
前記管理部は、
前記所定領域として、前記第２の記録媒体上のファイルシステムの識別子を含むファイル管理情報記録領域を用いる
請求項１又は２に記載のバックアップ装置。
【請求項４】
前記管理部は、
前記第１の記録媒体上で記録が完了したバックアップデータの位置を示す情報として、前記第１の記録媒体上の論理アドレスを用いる
請求項１から３の何れかに記載のバックアップ装置。
【請求項５】
映像データを記録した第１の記録媒体へのアクセスを制御する第１の記録媒体アクセス工程と、
前記第１の記録媒体に記録された前記映像データを含むバックアップデータをバックアップする第２の記録媒体へのアクセスを制御する第２の記録媒体アクセス工程と、
前記第１の記録媒体中の前記バックアップデータを、前記第１の記録媒体アクセス工程を用いて取得し、前記第２の記録媒体アクセス工程を用いて前記第２の記録媒体へ記録するとともに、前記第２の記録媒体への前記バックアップデータのバックアップ中に、所定のタイミング毎に、前記第１の記録媒体上で記録が完了したバックアップデータの位置を示す情報を前記第２の記録媒体の所定領域に記録し、前記第２の記録媒体へのバックアップデータのバックアップが完了した際に、前記第２の記録媒体中の前記バックアップデータに関するファイル管理情報を、前記所定領域に記録する管理工程と、
を含むバックアップ方法。
【発明の詳細な説明】
【技術分野】
【０００１】
本発明は半導体メモリカード等の記録媒体に記録された映像データ等を、ハードディスク等の他の記録媒体にバックアップするバックアップ装置及びバックアップ方法に関するものである。
【背景技術】
【０００２】
放送局で用いられる業務用カメラは、撮影した映像データ等を記録する記録媒体として、小型で取り扱いの容易な半導体メモリカードを用いるものが増えている。半導体メモリカードに記録された映像データ等は、編集装置等を用いて、ハードディスク等の記録容量のさらに大きな他の記録媒体にバックアップされる。
【０００３】
従来、バックアップ途中でユーザによるバックアップの中断操作や、電源断等により、バックアップ処理が中断した場合、ユーザは、再度バックアップ処理を最初からやり直さなければならなかった。
【０００４】
記録時の電源断に対応する技術として、例えば特許文献１に開示の技術がある。特許文献１には、記録媒体をランダムアクセスし特殊再生するための管理情報データを生成するために必要なデータを生成し、管理情報データを生成するのに必要なデータとビデオ符号化手段から出力されるビデオ符号化データとオーディオ符号化手段から出力されるオーディオ符号化データとを多重化するビデオ／オーディオ／管理情報多重化手段を備えることにより、記録が中止されたとしても、中止されるまで記録媒体に記録された動画データを修復し、再生を可能にする管理情報データを修復する情報記録再生装置が開示されている。
【先行技術文献】
【特許文献】
【０００５】
【特許文献１】特開２００１−２６６４９６号公報
【発明の概要】
【発明が解決しようとする課題】
【０００６】
しかしながら、上記従来の技術では、記録を中断した動画データを修復し、再生することはできるものの、中断したバックアップを再開することができず、バックアップ処理が中断した場合、ユーザは、再度バックアップ処理を最初からやり直さなければならないという課題がある。
【課題を解決するための手段】
【０００７】
上記課題を解決するために、バックアップ装置は、映像データを記録した第１の記録媒体へのアクセスを制御する第１の記録媒体アクセス部と、前記第１の記録媒体に記録された前記映像データを含むバックアップデータをバックアップする第２の記録媒体へのアクセスを制御する第２の記録媒体アクセス部と、前記第１の記録媒体中の前記バックアップデータを、前記第１の記録媒体アクセス部を介して取得し、前記第２の記録媒体アクセス部を介して前記第２の記録媒体へ記録するとともに、前記第２の記録媒体への前記バックアップデータのバックアップ中に、所定のタイミング毎に、前記第１の記録媒体上で記録が完了したバックアップデータの位置を示す情報を前記第２の記録媒体の所定領域に記録し、前記第２の記録媒体へのバックアップデータのバックアップが完了した際に、前記第２の記録媒体中の前記バックアップデータに関するファイル管理情報を、前記所定領域に記録する管理部と、を備える。
【発明の効果】
【０００８】
上記の構成により、バックアップ装置は、バックアップが完了しない時には、記録が完了したバックアップデータの位置を示す情報をバックアップ先の記録媒体に記録し、記録した情報を読み出すことにより、バックアップを途中から再開することが可能となる。また、バックアップ装置は、バックアップが完了した時には、記録が完了したバックアップデータの位置を示す情報を、ファイル管理情報で上書し、消去することにより、バックアップ時にバックアップ装置及び記録媒体に、無駄な情報、領域を確保することなく、バックアップを行うことができる。
【図面の簡単な説明】
【０００９】
【図１】実施の形態１におけるバックアップ装置の全体構成を示す図
【図２】実施の形態１におけるバックアップ装置の構成を示すブロック図
【図３】実施の形態１における記録媒体上のデータのデータ構造を示す図
【図４】実施の形態１におけるバックアップ装置の動作を示すフローチャート
【発明を実施するための形態】
【００１０】
（実施の形態１）
（１．構成）
（１−１．全体構成）
図１は、実施の形態１におけるバックアップ装置の全体構成を示す。バックアップ装置１０１は、第１の記録媒体１０２から映像データを含むバックアップデータを読み出し、第２の記録媒体１０３へ書き込む。
【００１１】
第１の記録媒体１０２としては、不揮発メモリ素子からなる半導体メモリカードなどが用いられる。第２の記録媒体１０３としては、ハードディスクや、ＤＶＤやＢＤなどの光ディスクなどが用いられる。
【００１２】
（１−２．バックアップ装置）
図２は、バックアップ装置１０１内部の構成を示すブロック図である。バックアップ装置１０１は、操作入力部２０１と、管理部２０２と、第１の記録媒体アクセス部２０３と、第２の記録媒体アクセス部２０４と、表示部２０５とを含む。
【００１３】
操作入力部２０１は外部からの操作指示を受付け、管理部２０２へ伝達する。操作入力部２０１としては、ボタン、キーボードなどが用いられる。ユーザーが、ボタン等を操作することにより、操作指示が行われる。
【００１４】
管理部２０２は、操作入力部２０１から伝達された操作に基づき、第１の記録媒体アクセス部２０３からバックアップデータを読み出し、ファイルシステムを介さずに、第２の記録媒体アクセス部２０４へ出力する。管理部２０２は、バックアップデータの出力以外に、バックアップの経過位置を示す情報やファイルシステムとしてアクセスするために必要な管理情報を第２の記録媒体アクセス部２０４を通して、第２の記録媒体１０３へ書き込む。
【００１５】
管理部２０２は、第１の記録媒体アクセス部２０３または第２の記録媒体アクセス部２０４から異常が通知された場合、もしくは、第１の記録媒体アクセス部２０３から第２の記録媒体アクセス部２０４へのバックアップが完了した場合、表示部２０５へバックアップが異常終了した旨、又はバックアップが完了した旨のメッセージの表示を依頼する。
【００１６】
管理部２０２としては、ＣＰＵ上で動作するソフトウェアなどが用いられる。
【００１７】
第１の記録媒体アクセス部２０３は、管理部２０２からの指示により第１の記録媒体１０２から映像データを含む各種データを読み出す。
【００１８】
第２の記録媒体アクセス部２０４は、管理部２０２からの指示により第２の記録媒体１０３に映像データを含む各種データ、バックアップの経過位置を示す情報、または、ファイルシステムとしてアクセスするための管理情報を書き込む。
【００１９】
表示部２０５は、バックアップ中の異常が発生した場合、または、バックアップが完了した場合に管理部２０２からの指示を受けメッセージを表示する。表示部２０５としては、ＬＣＤ（Ｌｉｑｕｉｄ  Ｃｒｙｓｔａｌ  Ｄｉｓｐｌａｙ）などが用いられる。
【００２０】
（１−３．記録媒体中のデータのデータ構造）
図３は、記録媒体に記録されるデータのデータ構造を示す図である。第１の記録媒体１０２と第２の記録媒体１０３に記録されるデータのデータ構造は同じであり、図３に示すものである。
【００２１】
記録媒体に記録されるデータのデータ構造は、媒体情報記録部３０１とファイルシステムデータ記録部３０２に大きく分かれる。媒体情報記録部３０１は、パーソナルコンピュータなどの一般機器がファイルシステムデータ記録部３０２にアクセスするために必要な情報が格納される。ファイルシステムデータ記録部３０２は、映像データなどの実データ３２０２や各ファイルシステムが使用する管理情報であるファイルシステムヘッダー３２０１を含む各種データが格納される。
【００２２】
媒体情報記録部３０１は、複数のユニット情報３１０からなる。１つのユニット情報３１０が１つのファイルシステムデータ情報３２０に対応する。媒体情報記録部３０１は、ファイルシステムデータ情報３２０の数分のユニット情報３１０を有する。
【００２３】
ユニット情報３１０は、ファイルシステム管理情報３１１０、または、バックアップ位置記録情報３１２０のどちらかの形式をとる。ファイルシステム管理情報３１１０は、対応するファイルシステムデータ情報３２０へのポインタであるファイルシステムデータ情報ポインタ３１１１と、次のファイルシステム管理情報３１１０へのポインタである次ファイルシステム管理情報ポインタ３１１２と、各ファイルシステムを認識するためのファイルシステム識別子３１１３とからなる。
【００２４】
ファイルシステムデータ情報ポインタ３１１１は、対応するファイルシステムデータ情報３２０を指し示すものであり、ファイルシステムにより使用される。
【００２５】
次ファイルシステム管理情報ポインタ３１１２は、ファイルシステムデータ情報３２０を複数個持つ場合に、次のファイルシステム管理情報３１１０を示すものであり、ファイルシステムにより使用される。次ファイルシステム管理情報ポインタ３１１２は、次のファイルシステム管理情報３１１０がない場合は特定の値を記述する。
【００２６】
ファイルシステム識別子３１１３は、ファイルシステムとして使用できることを示すものであり、ファイルシステムの種類などが記述される。
【００２７】
バックアップ位置記録情報３１２０は、バックアップ途中の記録位置を示す情報を記録する。バックアップ位置記録情報３１２０は、一般のファイルシステムによって認識されないようにファイルシステム識別子３１１３に相当する部分の値を特定の値に調整する。バックアップ途中の記録位置を示す情報としては、記録媒体上の論理アドレスなどが使用される。
【００２８】
ファイルシステムデータ記録部３０２は、複数のファイルシステムデータ情報３２０からなる。ファイルシステムデータ記録部３０２は、記録媒体中に異なるファイルシステム（例えばＦＡＴ１６とＦＡＴ３２）のデータが記録された場合、ファイルシステム毎に異なるファイルシステムデータ情報３２０を有する。また、同じファイルシステムであっても、ファイルシステムデータ記録部３０２は、複数のファイルシステムデータ情報３２０を有してもよい。
【００２９】
ファイルシステムデータ情報３２０は、ファイルシステムが使用するファイルシステムヘッダー３２０１と実データ３２０２からなる。ファイルシステムヘッダー３２０１は、ファイルシステムによって決められたヘッダー部分であり、ＦＡＴ（ファイル・アロケーション・テーブル）、ディレクトリ・エントリなどが含まれる。実データ３２０２は、映像データなどの各種データである。
【００３０】
（２．動作）
図４は、バックアップ装置１０１のバックアップ処理を示すフローチャートである。
【００３１】
操作入力部２０１は、ユーザーから入力されたバックアップ開始の指示を管理部２０２に通知する（Ｓ４０１）。管理部２０２は、操作入力部２０１から伝達された操作に基づき、第１の記録媒体アクセス部２０３を使って、第１の記録媒体１０２の正当性を調べる（Ｓ４０２）。ここで正当性を調べるとは、ファイルシステム識別子３１１３の妥当性、ファイルシステムヘッダー３２０１内のＦＡＴ、ディレクトリ・エントリなどの並びが正しいか、必要な情報が存在するかなどを調べることである。
【００３２】
管理部２０２は、第２の記録媒体アクセス部２０４を使って、第２の記録媒体１０３の正当性やバックアップする容量が問題ないかを調べる（Ｓ４０３）。ここでバックアップする容量のチェックとは、あらかじめ取得した第１の記録媒体１０２のバックアップ対象のデータの容量が第２の記録媒体１０３に格納可能かを調べることである。
【００３３】
管理部２０２は、第２の記録媒体１０３の媒体情報記録部３０１にバックアップ途中で中断された痕跡であるバックアップ位置記録情報３１２０が存在するかチェックし、存在しない場合、第１の記録媒体１０２に関する情報を、第２の記録媒体１０３内のバックアップ位置記録情報３１２０に第２の記録媒体アクセス部２０４を通して書き込む（Ｓ４０４）。第１の記録媒体１０２に関する情報としては、第１の記録媒体１０２を一意に判別する機種番号、工場出荷番号や記録媒体内部に存在する全データを判別するチェックサム情報などがある。
【００３４】
なお、管理部２０２は、第２の記録媒体１０３にバックアップ途中で中断された痕跡であるバックアップ位置記録情報３１２０を媒体情報記録部３０１内に発見した場合には、その中断したバックアップ位置からバックアップを再開する。
【００３５】
管理部２０２は、第１の記録媒体アクセス部２０３を通して第１の記録媒体１０２からバックアップするデータであるファイルシステムデータ情報３２０を読み出す（Ｓ４０５）。管理部２０２は、読み込んだバックアップするデータであるファイルシステムデータ情報３２０を、第２の記録媒体アクセス部２０４を通して第２の記録媒体１０３へ書き込む（Ｓ４０６）。管理部２０２は、バックアップ途中の所定のタイミングごとに、バックアップの経過位置を示すバックアップ位置記録情報３１２０を第２の記録媒体アクセス部２０４を通して第２の記録媒体１０３へ書き込む（Ｓ４０７）。
【００３６】
バックアップ位置記録情報３１２０は、一般のファイルシステムとしては認識されない形式になっているので、ここでバックアップが中断された場合には途中までバックアップされた不完全な情報が、パーソナルコンピュータなどの一般の機器でアクセスされることはない。
【００３７】
ここで所定のタイミングとは、第１の記録媒体１０２から第２の記録媒体１０３へのバックアップを行うのに必要な最小のデータ転送サイクルの整数倍である。所定のタイミングとして、バックアップの中断があった場合に再開できる間隔として長くなく、頻繁にバックアップ位置記録情報３１２０を記録することでオーバーヘッドが大きくなりすぎない任意のタイミングが用いられる。
【００３８】
管理部２０２は、バックアップデータが完了したかを調べ、完了していない場合（Ｓ４０８でＮｏ）は、第１の記録媒体のデータ読み出し（Ｓ４０５）からバックアップ位置記録情報の書き込み（Ｓ４０７）までを繰り返す。
【００３９】
管理部２０２は、バックアップが完了する（Ｓ４０８でＹｅｓ）と、一般のファイルシステムでアクセス可能とするためにファイルシステム管理情報３１１０を作成し、第２の記録媒体アクセス部２０４を通して第２の記録媒体１０３へ書き込む（Ｓ４０９）。
【００４０】
管理部２０２は、バックアップが完了した場合、表示部２０５へメッセージの表示を依頼する。表示部２０５は、バックアップが正常終了した旨のメッセージを表示する（Ｓ４１０）。
【００４１】
（３．まとめ）
実施の形態１におけるバックアップ装置１０１は、映像データを記録した第１の記録媒体１０２へのアクセスを制御する第１の記録媒体アクセス部２０３と、第１の記録媒体１０２に記録された映像データを含むバックアップデータをバックアップする第２の記録媒体１０３へのアクセスを制御する第２の記録媒体アクセス部２０４と、第１の記録媒体１０２中のバックアップデータを、第１の記録媒体アクセス部２０３を介して取得し、第２の記録媒体アクセス部２０４を介して第２の記録媒体１０３へ記録するとともに、第２の記録媒体１０３へのバックアップデータのバックアップ中に、所定のタイミング毎に、第１の記録媒体１０２上で記録が完了したバックアップデータの位置を示すバックアップ位置記録情報３１２０を第２の記録媒体１０３の所定領域に記録し、第２の記録媒体１０３へのバックアップデータのバックアップが完了した際に、第２の記録媒体１０３中のバックアップデータに関するファイルシステム管理情報３１１０を、第２の記録媒体１０３の上述の所定領域に記録する管理部２０２と、を備えることにより、バックアップが完了せずに中断した場合には、管理部２０２は、第２の記録媒体１０３の所定領域に記録されたバックアップ位置記録情報３１２０を読み出すことにより、バックアップ装置１０１にバックアップ中断位置等を別途保持することなしに、バックアップ中断位置よりバックアップを再開することができる。
【００４２】
さらに、バックアップ完了した場合には、管理部２０２は、第２の記録媒体１０３にバックアップしたデータを、ファイルシステムを介してアクセスするために必要なファイルシステム管理情報３１１０を、バックアップ位置記録情報３１２０が記録された第２の記録媒体１０３の所定領域に上書き記録することにより、バックアップ完了時に、第２の記録媒体１０３に、無駄な情報、領域を確保することなく、バックアップを行うことができる。
【００４３】
バックアップ装置１０１の管理部２０２は、第１の記録媒体１０２中のバックアップデータを、ファイルシステムを用いずに、順次読み出し、読み出したバックアップデータを第２の記録媒体１０３に記録することによって、バックアップ装置１０１は、ファイルシステムを介さずに、第１の記録媒体１０２からのデータの読み出し、及び第２の記録媒体１０３へデータの記録を行うため、高速にバックアップ処理を実行することができる。
【００４４】
バックアップ装置１０１の管理部２０２は、所定領域として、第２の記録媒体１０３上のファイルシステムの識別子を含むファイルシステム管理情報３１１０が記録される媒体情報記録部３０１のユニット情報３１０を用いることにより、バックアップが完了せずに中断した場合に第２の記録媒体１０３をバックアップ装置１０１以外の他の装置で読み出した場合、他の装置は、ファイルシステムを介して第２の記録媒体１０３のデータを読み出すために、ファイルシステム管理情報３１１０が存在しないデータを読み出すことができず、データは存在しないものとして扱われるため、バックアップの中断したデータの読み出しに際して、不具合が発生することを回避することができる。
【００４５】
バックアップ装置１０１の管理部２０２は、第１の記録媒体１０２上で記録が完了したバックアップデータの位置を示す情報として、第１の記録媒体１０２上の論理アドレスを用いることにより、ファイルシステムに依存せずに、バックアップデータの位置を示す情報を特定することができる。
【産業上の利用可能性】
【００４６】
本実施の形態にかかるバックアップ装置によれば、バックアップを中断した場合でも、中断途中からバックアップを再開することが可能となり、放送局等において用いる、記録した映像データを他の記録媒体にバックアップする編集装置に適用することができ、有用である。
【符号の説明】
【００４７】
１０１  バックアップ装置
１０２  第１の記録媒体
１０３  第２の記録媒体
２０１  操作入力部
２０２  管理部
２０３  第１の記録媒体アクセス部
２０４  第２の記録媒体アクセス部
２０５  表示部
【図１】
2011141639.tif 000003
【図２】
2011141639.tif 000004
【図３】
2011141639.tif 000005
【図４】
2011141639.tif 000006